(57)【要約】      （修正有）【課題】複数の遺骨容器を収納可能な遺骨収納体を提供する。【解決手段】本考案に係る遺骨収納体１は、墓地に埋設されるとともに複数の遺骨容器４を収納可能であり、一端に挿入口を有し、深さが遺骨容器４の深さの３倍以上である長尺状の遺骨容器収納本体２と、挿入口を封止する蓋体３とを備える。好ましくは、蓋体３の側面には、蓋体３の板厚方向と平行な方向に溝が形成されている。また、好ましくは、遺骨容器収納本体２の底には土及び／又は砂５が敷き詰められている。【選択図】図１
0003211632.tif 000002
【実用新案登録請求の範囲】
【請求項１】
墓地に埋設されるとともに複数の遺骨容器を収納可能な遺骨収納体であって、
一端に挿入口を有し、深さが前記遺骨容器の深さの３倍以上である長尺状の遺骨容器収納本体と、
前記挿入口を封止する蓋体と
を備えることを特徴とする遺骨収納体。
【請求項２】
前記蓋体の側面には、前記蓋体の板厚方向と平行な方向に溝が形成されている、請求項１に記載の遺骨収納体。
【請求項３】
前記遺骨容器収納本体の底には土及び／又は砂が敷き詰められている、請求項１または２に記載の遺骨収納体。
【考案の詳細な説明】
【技術分野】
【０００１】
本発明は、３つ以上の遺骨容器を収納可能な遺骨収納体に関する。
【背景技術】
【０００２】
通常、故人の遺骨は骨壺などの遺骨容器に収納されている。遺骨容器は、墓の下部に設けられたカロートに複数収納されている。大きな墓地では一族に１つの墓が設けられており、カロートには多数の遺骨容器が収納可能である。
【０００３】
しかし、近年、首都圏では土地価格の高騰により墓地面積が縮小し、以前のような大型の墓を置くスペースがなくなりつつある。
【０００４】
このような状況下において、最近では、例えば樹木葬のような集合墓地に多数の故人の遺骨容器を埋設するようになってきた。ただ、この状況下においても、従来と同様に、１つの墓で複数の遺骨容器を収納する要望がある。例えば特許文献１には、後継者不足による墓石保全の煩雑化を抑制するため、複数の遺骨容器を収納可能なように、縦長円筒状の骨壺収納機構と蓋部を有するカプセル墓地が開示されている。
【先行技術文献】
【特許文献】
【０００５】
【特許文献１】実用新案登録第３２０６６７７号公報
【考案の概要】
【考案が解決しようとする課題】
【０００６】
前述のように、特許文献１に記載の考案は、後継者不足が課題の根底にあることから、新たな集合墓地において別途遺骨容器を収納することを考慮すると、例えば両親の遺骨容器（２つ）を収納できれば十分である。
【０００７】
しかし、将来管理者自身が永眠するための遺骨容器収納場所を確保しなければならない。さらに遺骨容器を墓地に埋設しようとする場合には、別途区画を確保すればよい。結局、大きな墓を用いた場合と同様の管理が必要になる場合がある。このため、従来では特許文献１の記載から考えられるように、せいぜい遺骨容器が２つ収納できるものしかなかった。
【０００８】
本発明の課題は、集合墓地の１区画だけで多数の遺骨容器を収納可能な遺骨収納体を提供することである。
【課題を解決するための手段】
【０００９】
本考案者は、上記のような近年の事情を鑑み、従来よりも１区画が狭い墓地においてもより長く多数の故人の遺骨容器を収納できるように、次の考案を創作するに至った。
【００１０】
（１）墓地に埋設されるとともに複数の遺骨容器を収納可能な遺骨収納体であって、一端に挿入口を有し、深さが遺骨容器の深さの３倍以上である長尺状の遺骨容器収納本体と、挿入口を封止する蓋体とを備えることを特徴とする遺骨収納体。
【００１１】
（２）蓋体の側面には、蓋体の板厚方向と平行な方向に溝が形成されている、上記（１）に記載の遺骨収納体。
【００１２】
（３）遺骨容器収納本体の底には土及び／又は砂が敷き詰められている、上記（１）または上記（２）に記載の遺骨収納体。
【図面の簡単な説明】
【００１３】
【図１】図１は、本考案に係る遺骨収納体の図であり、図１（ａ）は３つの遺骨容器を収納した遺骨収納体の縦断面図であり、図１（ｂ）は３つの遺骨容器を収納した遺骨収納体の部分破断斜視図である。
【図２】図２は、本考案に係る遺骨収納体に収納可能な遺骨容器の１例を示す斜視図である。
【考案を実施するための形態】
【００１４】
本考案を以下により詳しく説明する。
本考案の遺骨収納体は、墓地に埋設されるとともに複数の遺骨容器を収納することができる。図１は、本考案に係る遺骨収納体１の図であり、図１（ａ）は３つの遺骨容器４を収納した遺骨収納体１の縦断面図であり、図１（ｂ）は３つの遺骨容器４を収納した遺骨収納体１の部分破断斜視図である。図１に示すように、遺骨収納体１は、遺骨容器収納本体２、蓋体３を備える。
【００１５】
（１）遺骨容器収納本体
遺骨容器収納本体２は、一端に挿入口を有し、深さが遺骨容器４の深さの３倍以上である長尺状の遺骨容器収納本体である。深さが遺骨容器４の３倍以上であれば、３つ以上の遺骨容器を、１つの遺骨容器を埋設可能な面積で収納することができるため、集合墓地などに適している。さらに多くの遺骨容器を収納したい場合には、遺骨容器収納本体２の深さを遺骨容器４の深さの整数倍にすればよい。遺骨容器収納本体２の形状は円筒状であることが望ましい。遺骨容器の形状が通常円筒や多角柱であり、また、円筒が歪に強い形状であるためである。
【００１６】
遺骨容器収納本体２は、墓地の所定の区画に設けられた穴に埋設され、図１に示すように、挿入口から遺骨容器４を順次挿入し、蓋体３で密封される。ただ、結露などにより遺骨収納体１内および遺骨容器４内に水滴が発生することから、遺骨容器収納本体２の底には土及び／又は砂５が敷き詰められていることが好ましい。これにより、底に挿入された遺骨容器４が水浸しになることはない。また、遺骨容器収納本体２の材質はポリ塩化ビニルなどのプラスチック製でよい。
【００１７】
（２）蓋体
蓋体３は、遺骨容器収納本体２の挿入口を塞ぐとともに小さな墓石の土台となる。遺骨容器収納本体２がプラスチック製の場合には、経年劣化により若干の歪みが発生するものの、蓋体３は墓石の土台となることによって遺骨容器収納本体２との隙間が恒久的に発生せず、遺骨容器収納本体２内の結露の発生を極力抑制することができる。このような観点から、蓋体３の材質は、耐候性や比重が大きい石材性であることが望ましい。
【００１８】
蓋体３の直径は、遺骨容器収納本体２の外径より大きいことが望ましい。蓋体３において外径からはみ出た部分が取手として機能するため、遺骨容器４を収納する際に蓋体３を移動しやすくなる。
【００１９】
また、蓋体３が遺骨容器収納本体２に螺嵌するように、各々に雄ねじもしくは雌ねじが設けられていてもよい。例えば、蓋体３は、蓋体３の下面中央部に遺骨容器収納本体２の外径より大きい径を有する凹部が設けられている断面凹形状であってもよい。この場合、蓋体３の凹部側面に設けられた雌ねじと、遺骨容器収納本体２の外側面であって挿入口近傍に設けられた雄ねじとにより、蓋体３が遺骨容器収納本体２に螺嵌するようにしてもよい。もしくは、蓋体３は、図１に示すように、蓋体３の下面中央部に遺骨容器収納本体２の内径より小さい径を有する凸部が設けられている断面凸形状であってもよい。この場合、蓋体３の凸部側面に設けられた雌ねじと、遺骨容器収納本体２の内側面であって挿入口近傍に設けられた雄ねじとにより、蓋体３が遺骨容器収納本体２と螺嵌するようにしてもよい。
【００２０】
このような形態であれば、遺骨容器収納本体２がプラスチック製であり経年劣化により多少変形したとしても、蓋体３の密封は維持される。蓋体３の側面には、蓋体３の板厚方向と平行な方向に溝が形成されていてもよい。この場合、溝が滑り止めとなるため、蓋体３が螺嵌しやすくなる。
【００２１】
さらに、蓋体３の上面は意匠性を考慮して全面研磨されていてもよい。
これに加えて、蓋体３の上面端部は地面に向かって傾斜していてもよい。これにより、雨水が蓋体３上に溜まることがない。
【００２２】
（３）遺骨容器
本考案に用いる遺骨容器４は遺骨を収納する容器であり、骨壺に限定されるものではなく、遺骨を収納できる空間を有する容器全般を意味する。遺骨容器４は、図２に示すように、遺骨容器本体６および遺骨容器用蓋７を備える。結露による水滴を排除する観点から、遺骨容器本体６の底面および遺骨容器用蓋７には孔が設けられている。また、遺骨容器本体６と遺骨容器用蓋７には、各々蓋体３と遺骨容器収納本体２と同様に、螺嵌するように各々雄ねじや雌ねじが設けられていてもよい。また、遺骨容器用蓋７は、蓋体３と同様に、側面に溝が形成されていてもよい。
【符号の説明】
【００２３】
１  遺骨収納体、２  遺骨容器収納本体、３  蓋体、４  遺骨容器、５  土、砂、６  遺骨容器本体、７  遺骨容器用蓋
【図１】
0003211632.tif 000003
【図２】
0003211632.tif 000004